(57)【要約】【課題】従来の液晶表示装置では、そのガンマ補正回路の基準電圧を作る回路が抵抗分圧比で決定される構成となっていたので、使用モードにあわせて階調表示特性を換える事が出来なかった。【解決手段】この発明では、ガンマ補正回路の階調表示特性の補正に係るデータをメモリに記憶し、これを呼び出して演算を施して新しい階調表示特性の補正に係るデータとして使うようにしたので、簡単に当初メモリに記憶された階調表示特性の補正に係るデータを更新することができる効果がある。【選択図】図１
2006251815.tif 000002
【特許請求の範囲】
【請求項１】
液晶パネルと、デジタル映像信号を入力し前記液晶パネルに液晶駆動電圧を印加するソースドライバ部を備えた液晶表示装置において、
前記デジタル映像信号の各レベルに対応して動作モード毎に階調表示特性の補正に係る参照データを蓄積するメモリ部と、前記参照データを前記メモリ部から読み出して一旦格納する書き換え可能なメモリと、該書き換え可能なメモリに格納された前記参照データに対応して階調表示特性の補正を行い前記液晶駆動電圧を補正する階調表示特性補正制御部とを備え、
前記書き換え可能なメモリに格納された前記参照データに演算を施して求めた階調表示特性の補正に係る参照データを新しい参照データとして階調表示特性の補正を行うことを特徴とする液晶表示装置。
【請求項２】
前記メモリ部に蓄積する第１の階調表示特性の補正に係る参照データと第２の階調表示特性の補正に係る参照データをそれぞれ書き換え可能なメモリに読み出し、前記各参照データに演算を施して求めた参照データを新しい階調表示特性の補正に係る参照データとして階調表示特性の補正を行うことを特徴とする請求項１に記載の液晶表示装置。
【請求項３】
前記新しい階調表示特性の補正に係る参照データは、第１の階調表示特性の補正に係る参照データと第２の階調表示特性の補正に係る参照データとの間にあることを特徴とする請求項１または請求項２に記載の液晶表示装置。
【発明の詳細な説明】
【技術分野】
【０００１】
この発明は、複数種の階調表示特性の中から、好みのものを選択して表示できる液晶表示装置に関するものである。
【背景技術】
【０００２】
図７は従来の液晶表示装置の構成図を示す。図において、１００は、ＬＣＤパネルで、データラインを構成するソースライン２１０と走査ラインを構成するゲートライン３１０を備え、ソースドライバ２００からデータ信号をソースライン２１０に加え、ゲートドライバ３００から走査信号をゲートライン３１０に加えて表示を行う。４００は入力信号線４１０を経て外部から供給される映像信号をＬＣＤパネル１００の表示に必要なデジタル化映像信号４２０、ソースドライバ制御信号４３０、ゲートドライバ制御信号４４０に切り分け取り込む表示制御インタフェースである。５００は多階調表示のための基準電圧源である。
【０００３】
次に動作を説明する。
デジタル化された映像信号４２０は、シフトレジスタ２２０の制御により、レジスタＡ２３０に画素毎の信号に分けて取り込まれ、レジスタＢ２４０を経てＤ／Ａ変換器２５０でアナログ信号に変換される。このアナログ信号電圧は、セレクタ２６０のアナログスイッチを制御して前記アナログ信号電圧に対応するガンマ補正後の電圧値を持つ電圧（基準電圧）に変換する。ＬＣＤパネル１の表示画素の液晶素子のソースには、このガンマ補正後の電圧が印加される。なお、前記ガンマ補正後の電圧値を持つ電圧への変換は次のようにして行う。前記アナログ信号電圧のとり得る範囲の電圧値に対応して、その電圧値にガンマ補正係数を乗じた大きさの電圧値を持つ複数個の電圧（基準電圧）を発生する基準電圧電源５００が用意されている。そして、アナログ信号電圧の制御により、このアナログ信号電圧をアナログ信号の電圧値に対応した大きさの前記ガンマ補正値を有する基準電圧源からの基準電圧に切り替える。
【０００４】
この基準電圧電源５００は、安定化電源５１０からの電圧を抵抗（Ｒ１ないしＲ１０）で分圧し、エミッタフォロア（ＥＦ１ないしＥＦ０）を経て出力する分圧回路５２０より構成され、基準電源線５７０へ基準電圧が送り出されるようになっている。なお、分圧回路の各々の抵抗値は特定のガンマ補正係数に対応して、予め設定され組み込まれている。
【発明の開示】
【発明が解決しようとする課題】
【０００５】
従来装置では以上のような構成となっていたため、ガンマ補正係数を変えるためには、分圧回路の各抵抗の組み合わせを変えなければならず、簡単な作業ではガンマ補正係数の変更要求には対応できなかった。しかしながら、表示装置の画質が良くなり、また色色なタイプの画面を扱う機会が増えて来ると、それぞれのタイプにあったガンマ補正をその都度設定できるようにしたいという要求が強くなってきたため、従来型の固定式のものでは対応できなくなった。
【０００６】
この発明は、上記のような問題点を解消するためになされたもので、複数種類のガンマ補正係数への切り替えが簡単に出来るようにした、液晶表示装置を提供することを目的としている。
【課題を解決するための手段】
【０００７】
この発明に係る液晶表示装置は、液晶パネルと、デジタル映像信号を入力し前記液晶パネルに液晶駆動電圧を印加するソースドライバ部を備えた液晶表示装置において、前記デジタル映像信号の各レベルに対応して動作モード毎に階調表示特性の補正に係る参照データを蓄積するメモリ部と、前記参照データを前記メモリ部から読み出して一旦格納する書き換え可能なメモリと、該書き換え可能なメモリに格納された前記参照データに対応して階調表示特性の補正を行い前記液晶駆動電圧を補正する階調表示特性補正制御部とを備え、前記書き換え可能なメモリに格納された前記参照データに演算を施して求めた階調表示特性の補正に係る参照データを新しい参照データとして階調表示特性の補正を行うようにしたものである。
【発明の効果】
【０００８】
この発明に係る液晶表示装置は、階調表示特性の補正に係るデータをメモリに記憶し、これを呼び出して演算を施して新しい階調表示特性の補正に係るデータとして使うようにしたので、簡単に当初メモリに記憶された階調表示特性の補正に係るデータを更新することができる効果がある。
【発明を実施するための最良の形態】
【０００９】
実施の形態１
図１は、この発明の実施の形態１に係る液晶表示装置の構成図を示す。図１において、１は、ＬＣＤパネルで、ソースライン２１とゲートライン３１を備え、ソースドライバ２からデータ信号をソースライン２１に加え、ゲートドライバ３から走査信号をゲートラインに加えて表示を行う。４は外部からの映像信号をＬＣＤパネル１の表示に必要な信号に分ける表示制御インタフェイスである。５は多階調表示のための基準電圧電源である。
【００１０】
次に動作を説明する。デジタル化され時間的に画素毎シリーズに並べられた映像信号は、シフトレジスタ２２の制御により、レジスタ群Ａ２３の各レジスタに画素毎の信号として取り込まれ、ついでレジスタ群Ｂ２４に移される。レジスタ群Ｂ２４の各レジスタの出力信号はＤ／Ａ変換器群２５でそれぞれ画素１つ１つの輝度に対応した大きさのアナログ信号に変換される。このアナログ信号はセレクタ群２６で、Ｄ／Ａ変換後のアナログ信号が対応するガンマ補正後の基準電圧で置き換えられ、ＬＣＤパネル１の表示画面の各画素の液晶素子のソースに印加される。ゲートドライバ３から液晶素子のゲート電圧が印加されると、液晶素子はセレクタ群２６を経て印加された電圧に応じた明るさの表示を行う。
【００１１】
Ｄ／Ａ変換器のアナログ電圧とこれに対応する基準電圧の関係は、ガンマ補正係数にしたがって、直線からずれている。具体的には表示内容により、グラフィックモードでは図３、自然画モードでは図４、ＴＶ画モードでは図５の関係（数値的には図６に示す関係）に設定される。これらの図において、横軸は入力データ、縦軸は対応する出力電圧である。この電圧は基準電圧電源５から供給される基準電圧（Ｖ１、・・・Ｖ１０・・）に対応している。以上の構成になっているので、表示の都度各モードに対応してガンマ補正を変えて表示を行うには、基準電圧電源５は、前記アナログ信号のとりうる範囲の電圧値に対応して各モード毎必要とする基準電圧を簡単な操作で発生させる事の出来るものでなければならない。この発明に係る液晶表示措置は、このような要求に対応できる基準電圧を発生させる基準電圧電源５を以下のようにして構成している。
【００１２】
図２は、基準電圧電源5 の詳細を説明する図である。図２において、５１はモード選択端子、５２はモード別アドレス変換回路、５３はアドレス指定部、５４はグラフィックモード、自然画モード、ＴＶ画モードなどのモード毎の階調表示特性の補正に係る基準電圧の電圧データ（例えば、モードａの電圧データ：Ｖ１ａ、Ｖ２ａ、・・・Ｖ１０ａ、・・の組みの電圧データ）を蓄積するメモリ（ＲＯＭ）、５５は各基準電圧に対応して設けられた書き換え可能なメモリ群（ＲＡＭ）、５６は各基準電圧に対応して設けられたＤ／Ａ変換器群、５７は各基準電圧を前記セレクタ群２６へ導き出す基準電圧線、５８はＲＡＭ書換え回路、５９は書換え制御端子である。
【００１３】
次に動作を説明する。モード指定端子５１にモードの指定信号が印加されると、このモード指定信号はモード別アドレス変換部５２でアドレス信号に変換され、アドレス指定部５３を経てメモリ５４へ導かれ、メモリ５４に貯えられている指定モードのガンマ補正の基準電圧の電圧データのアドレスを指定してこれを読み出す。読み出された基準電圧の電圧データは一旦書き換え可能なメモリ群５５に貯える。この電圧データは、デジタルデータの形で蓄積された各基準電圧に対応するデータの組みである。このデジタルデータの組みは、指定のモードの基準電圧Ｖ１、Ｖ２、・・・Ｖ１０・・に対応しており、それぞれ用意されたＤ／Ａ変換器群５６の各Ｄ／Ａ変換器でアナログ電圧に変換されて、基準電圧線５７を経て、セレクタ群２６に供給される。以上のようにメモリ５４に各モード毎の基準電圧に対応する電圧データを蓄積しておくと、この電圧データを指定して呼び出し、対応する基準電圧を発生する事が出来るので、簡単に所望のガンマ補正係数をかけた画面表示を行う事が出来る。
【００１４】
以上は１組のガンマ補正係数に係るデータを読み出してガンマ補正を行う場合について説明したが、１度に２組のガンマ補正係数に係るデータを読みだし、この２つのデータの平均値または重み付平均値を算出して、これを使ってガンマ補正を行う事も出来る。これによって、２つのモードの中間的な補正をかけたいとの要求に応えることが出来る。また、書き換え指示端子５９からＲＡＭ書き換え回路５８を経て、書き換え可能なメモリ５５の記憶データの読み込みが行えるので、予めメモリ５４に用意されたデータの他に、一時的にメモリ５４に読み込んだデータを使い、新しいモードに対応したガンマ補正を行う事も出来る。
【図面の簡単な説明】
【００１５】
【図１】この発明の実施の形態１に係る全体構成図である。
【図２】この発明の実施の形態１に係る基準電圧電源部の詳細構成図である。
【図３】グラフィックモードのガンマ補正に関する説明図である。
【図４】自然画モードのガンマ補正に関する説明図である。
【図５】ＴＶ画モードのガンマ補正に関する説明図である。
【図６】ガンマ補正係数に係る、各種モードの入出力電圧関係を示すデータである。
【図７】従来の液晶表示装置の構成図である。
【符号の説明】
【００１６】
１：ＬＣＤパネル、
２：ソースドライバ、  ２１：ソースライン群、  ２２：シフトレジスタ、
２３：レジスタ群Ａ、  ２４：レジスタ群Ｂ、  ２５：Ｄ／Ａ変換器群、
２６：セレクタ群、
３：ゲートドライバ、  ３１：ゲートライン群、
４：表示制御インタフェース、  ４１：入力信号線、  ４２：映像信号線、
４３  ソースドライバ制御線、  ４４  ゲートドライバ制御線、
５：基準電電圧源、  ５１：モード選択端子、
５２：モード別アドレス変換部、  ５３：アドレス指定部、
５４：メモリ、  ５５：書き換え可能メモリ群、
５６：Ｄ／Ａ変換器群、  ５７：基準電圧線、  ５８：ＲＡＭ書換回路、
５９：書換制御端子。
【図１】
2006251815.tif 000003
【図２】
2006251815.tif 000004
【図３】
2006251815.tif 000005
【図４】
2006251815.tif 000006
【図５】
2006251815.tif 000007
【図６】
2006251815.tif 000008
【図７】
2006251815.tif 000009